(57)【要約】【課題】トレイの代替や追加の際に用紙情報を効率的に設定する。【解決手段】用紙を収納するトレイと、前記用紙の属性情報を前記トレイと関連して当該トレイ毎の用紙情報として記憶する記憶部と、プリントデータに含まれる用紙情報により対応する前記トレイを特定し、特定された当該トレイより用紙を給紙させて画像形成部にプリントを実行するよう制御する制御部と、を備え、前記制御部は、前記記憶部に記憶されている用紙情報について、あるトレイに関連した用紙情報を、他のトレイの用紙情報として複写する機能を有する。【選択図】図１
2013104943.tif 000002
【特許請求の範囲】
【請求項１】
用紙を収納するトレイと、
前記用紙の属性情報を前記トレイと関連して当該トレイ毎の用紙情報として記憶する記憶部と、
プリントデータに含まれる用紙情報により対応する前記トレイを特定し、特定された当該トレイより用紙を給紙させて画像形成部にプリントを実行するよう制御する制御部と、を備え、
前記制御部は、前記記憶部に記憶されている用紙情報について、あるトレイに関連した用紙情報を、他のトレイの用紙情報として複写する機能を有する、
ことを特徴とする画像形成装置。
【請求項２】
複数のトレイをトレイユニットとして備える画像形成装置であって、
前記制御部は、前記記憶部に記憶されている用紙情報について、あるトレイユニットの各トレイに関連した用紙情報を、他のトレイユニットの各トレイの用紙情報として、トレイユニット単位で複写する機能を有する、
ことを特徴とする請求項１に記載の画像形成装置。
【請求項３】
トレイあるいはトレイユニットが追加される場合に、
前記制御部は、既存のトレイあるいはトレイユニットから、追加されるトレイあるいはトレイユニットに対して、前記記憶部に記憶されている用紙情報を複写する機能を起動する、
ことを特徴とする請求項１−２に記載の画像形成装置。
【請求項４】
指示の入力と情報の表示が可能な操作表示部を備え、
前記制御部は、
複写元となりうるトレイと当該用紙情報の複写先となりうるトレイとを前記操作表示部に表示し、前記操作表示部にて選択された複写元のトレイの用紙情報を、前記操作表示部にて選択された複写先のトレイに複写する、
ことを特徴とする請求項１−３のいずれか一項に記載の画像形成装置。
【請求項５】
指示の入力と情報の表示が可能な操作表示部を備え、
前記制御部は、
複写元となりうるトレイの用紙情報と当該用紙情報の複写先となりうるトレイとを前記操作表示部に表示し、前記操作表示部にて選択された複写元のトレイの用紙情報を、前記操作表示部にて選択された複写先のトレイに複写する、
ことを特徴とする請求項１−３のいずれか一項に記載の画像形成装置。
【請求項６】
用紙を収納するトレイと、前記用紙の属性情報を前記トレイと関連して当該トレイ毎の用紙情報として記憶する記憶部と、プリントデータに含まれる用紙情報により対応する前記トレイを特定し、特定された当該トレイより用紙を給紙させて画像形成部にプリントを実行するよう制御する制御部と、を備えた画像形成装置における画像形成装置制御方法であって、
前記記憶部に記憶されている用紙情報について、あるトレイに関連した用紙情報を、他のトレイの用紙情報として複写する機能を前記制御部が有する、
ことを特徴とする画像形成装置制御方法。
【請求項７】
複数のトレイをトレイユニットとして備える画像形成装置の画像形成装置制御方法であって、
前記記憶部に記憶されている用紙情報について、あるトレイユニットの各トレイに関連した用紙情報を、他のトレイユニットの各トレイの用紙情報として、トレイユニット単位で複写する機能を前記制御部が有する、
ことを特徴とする請求項６に記載の画像形成装置制御方法。
【請求項８】
トレイあるいはトレイユニットが追加される場合に、既存のトレイあるいはトレイユニットから、追加されるトレイあるいはトレイユニットに対して、前記記憶部に記憶されている用紙情報を複写する機能を前記制御部が起動する、
ことを特徴とする請求項６−７に記載の画像形成装置制御方法。
【請求項９】
指示の入力と情報の表示が可能な操作表示部を備えた画像形成装置における画像形成装置制御方法であって、
複写元となりうるトレイと当該用紙情報の複写先となりうるトレイとを前記操作表示部に表示し、前記操作表示部にて選択された複写元のトレイの用紙情報を、前記操作表示部にて選択された複写先のトレイに複写する、ように前記制御部が制御する、
ことを特徴とする請求項６−８のいずれか一項に記載の画像形成装置制御方法。
【請求項１０】
指示の入力と情報の表示が可能な操作表示部を備えた画像形成装置における画像形成装置制御方法であって、
複写元となりうるトレイの用紙情報と当該用紙情報の複写先となりうるトレイとを前記操作表示部に表示し、前記操作表示部にて選択された複写元のトレイの用紙情報を、前記操作表示部にて選択された複写先のトレイに複写する、ように前記制御部が制御する、
ことを特徴とする請求項６−８のいずれか一項に記載の画像形成装置制御方法。
【発明の詳細な説明】
【技術分野】
【０００１】
本発明は、用紙のプロファイルに配慮された画像形成装置、およびこのような画像形成装置における画像形成装置制御方法に関する。
【背景技術】
【０００２】
レーザ式等のプリンタや複写機等の画像形成装置には、多様な印刷条件に対応するために複数種類の用紙を収容するトレイが各用紙別に複数設けられている。
【０００３】
そして、このような画像形成装置によると、紙種や斤量、紙色、表裏の倍率差といった用紙の種類や印刷条件を示す属性情報を含んだ用紙情報（プロファイル）が、記憶部等から読み出されて各トレイに設定される。
【０００４】
そのため、当該画像形成装置は、各トレイに設定された用紙情報のＩＤから、受け付けた印刷ジョブに含まれる用紙情報で指定されるＩＤを検索することにより一のトレイを特定し、当該特定したトレイから用紙を給紙することができる。
【０００５】
このような用紙の給紙手順は、特に軽印刷の分野で必然性が高い。というのは、軽印刷の分野においては、用紙の種類が非常に多く存在しており、各々の用紙にはそれに適した詳細な印刷条件を設定しなければ、適切に用紙上に画像を形成することができないという事情があるからである。
【０００６】
なお、このような画像形成装置における用紙情報の取り扱いについては、以下の特許文献１に関連した提案がなされている。
【先行技術文献】
【特許文献】
【０００７】
【特許文献１】特開２０１１−９８５１０号公報
【発明の概要】
【発明が解決しようとする課題】
【０００８】
上記特許文献１に記載の画像形成装置では、用紙情報の取り扱いを効率的に進めるため、あるトレイの用紙情報を変更した場合、同一の属性情報を有する他のトレイについても連動して用紙情報が変更されるという処理が提案されている。
【０００９】
ところで、トレイの故障による代替、あるいはトレイの追加などが発生すると、操作者が新たなトレイに用紙情報を設定し直したり、新たに設定する必要があり、その操作が面倒であった。このようなトレイの故障や追加時の用紙情報の設定については、上記特許文献１では対処することができない。
【００１０】
本発明はこのような課題に鑑みてなされたものであって、トレイの代替や追加の際に用紙情報を効率的に設定することが可能な画像形成装置及び画像形成装置制御方法を実現することを目的とする。
【課題を解決するための手段】
【００１１】
すなわち、前記した課題を解決する本発明は、以下の通りである。
【００１２】
（１）第１の発明は、用紙を収納するトレイと、前記用紙の属性情報を前記トレイと関連して当該トレイ毎の用紙情報として記憶する記憶部と、プリントデータに含まれる用紙情報により対応する前記トレイを特定し、特定された当該トレイより用紙を給紙させて画像形成部にプリントを実行するよう制御する制御部と、を備え、前記制御部は、前記記憶部に記憶されている用紙情報について、あるトレイに関連した用紙情報を、他のトレイの用紙情報として複写する機能を有する、ことを特徴とする。
【００１３】
（２）第２の発明は、上記（１）において、複数のトレイをトレイユニットとして備える画像形成装置であって、前記制御部は、前記記憶部に記憶されている用紙情報について、あるトレイユニットの各トレイに関連した用紙情報を、他のトレイユニットの各トレイの用紙情報として、トレイユニット単位で複写する機能を有する、ことを特徴とする。
【００１４】
（３）第３の発明は、上記（１）〜（２）において、トレイあるいはトレイユニットが追加される場合に、前記制御部は、既存のトレイあるいはトレイユニットから、追加されるトレイあるいはトレイユニットに対して、前記記憶部に記憶されている用紙情報を複写する機能を起動する、ことを特徴とする。
【００１５】
（４）第４の発明は、上記（１）〜（３）において、指示の入力と情報の表示が可能な操作表示部を備え、前記制御部は、複写元となりうるトレイと当該用紙情報の複写先となりうるトレイとを前記操作表示部に表示し、前記操作表示部にて選択された複写元のトレイの用紙情報を、前記操作表示部にて選択された複写先のトレイに複写する、ことを特徴とする。
【００１６】
（５）第５の発明は、上記（１）〜（３）において、指示の入力と情報の表示が可能な操作表示部を備え、前記制御部は、複写元となりうるトレイの用紙情報と当該用紙情報の複写先となりうるトレイとを前記操作表示部に表示し、前記操作表示部にて選択された複写元のトレイの用紙情報を、前記操作表示部にて選択された複写先のトレイに複写する、ことを特徴とする。
【発明の効果】
【００１７】
（１）この発明では、記憶部に記憶されている用紙情報について、あるトレイに関連した用紙情報を、他のトレイの用紙情報として複写する機能を有するため、トレイの代替や追加の際に用紙情報を効率的に設定することが可能になる。
【００１８】
すなわち、トレイの故障による代替、あるいはトレイの追加などが発生しても、操作者が新たなトレイに用紙情報を設定し直すような手間をかける必要がなくなる。
【００１９】
（２）また、複数のトレイをトレイユニットとして備える画像形成装置では、あるトレイユニットの各トレイに関連した用紙情報を、他のトレイユニットの各トレイの用紙情報として、トレイユニット単位で複写する機能を有するため、トレイユニットの代替や追加の際に用紙情報を効率的に設定することが可能になる。
【００２０】
すなわち、トレイユニットの故障による代替、あるいはトレイユニットの追加などが発生しても、操作者が新たなトレイユニットそれぞれに用紙情報を設定し直すような手間をかける必要がなくなる。
【００２１】
（３）また、トレイあるいはトレイユニットが追加される場合に、既存のトレイあるいはトレイユニットから、追加されるトレイあるいはトレイユニットに対して、既に記憶部に記憶されている用紙情報を複写する機能を起動するため、トレイやトレイユニットの代替や追加の際に用紙情報を極めて効率的に設定することが可能になる。
【００２２】
（４）また、複写元となりうるトレイと当該用紙情報の複写先となりうるトレイとを操作表示部に表示しつつ、操作表示部にて選択された複写元のトレイの用紙情報を、操作表示部にて選択された複写先のトレイに複写するため、トレイユニットの代替や追加の際に、トレイ同士の対応関係を把握しつつ、用紙情報を操作者が効率的に設定することが可能になる。
【００２３】
（５）また、複写元となりうるトレイの用紙情報と当該用紙情報の複写先となりうるトレイとを操作表示部に表示し、操作表示部にて選択された複写元のトレイの用紙情報を、操作表示部にて選択された複写先のトレイに複写するため、トレイユニットの代替や追加の際に、トレイ同士の対応関係や複写元の用紙情報を具体的に把握しつつ、用紙情報を操作者が効率的に設定することが可能になる。
【図面の簡単な説明】
【００２４】
【図１】本発明の実施形態の画像形成装置の構成を示すブロック図である。
【図２】本発明の実施形態の画像形成装置の構成を示す構成図である。
【図３】本発明の実施形態の画像形成装置の構成を示す構成図である。
【図４】本発明の実施形態の画像形成装置の動作を示すフローチャートである。
【図５】本発明の実施形態の画像形成装置の画面例を示す説明図である。
【図６】本発明の実施形態の画像形成装置の画面例を示す説明図である。
【図７】本発明の実施形態の画像形成装置の動作を示すフローチャートである。
【図８】本発明の実施形態の画像形成装置の画面例を示す説明図である。
【図９】本発明の実施形態の画像形成装置の画面例を示す説明図である。
【図１０】本発明の実施形態の画像形成装置の画面例を示す説明図である。
【図１１】本発明の実施形態の画像形成装置の動作を示すフローチャートである。
【図１２】本発明の実施形態の画像形成装置の画面例を示す説明図である。
【図１３】本発明の実施形態の画像形成装置の画面例を示す説明図である。
【図１４】本発明の実施形態の画像形成装置の画面例を示す説明図である。
【図１５】本発明の実施形態の画像形成装置の動作を示すフローチャートである。
【図１６】本発明の実施形態の画像形成装置の画面例を示す説明図である。
【図１７】本発明の実施形態の画像形成装置の画面例を示す説明図である。
【発明を実施するための形態】
【００２５】
以下、図面を参照して本発明を実施するための形態（以下、実施形態）を詳細に説明する。
【００２６】
〈画像形成装置の全体構成〉
図１−３は本発明の実施の形態の概略構成を示す説明図である。
【００２７】
なお、ここでは、給紙装置として複数のトレイを有するトレイユニット３０Ａ、給紙装置として複数のトレイを有するトレイユニット３０Ｂ、画像形成装置１００、後処理装置４００を含んで、直列接続された状態の画像形成システムを具体例として示す。但し、接続台数や接続機器は、この例に限定されるものではない。
【００２８】
また、この画像形成システムでは、図２及び図３に示されるように、図面上で右から左に向けた用紙の流れに沿って、トレイユニット３０Ａ若しくは３０Ｂ、画像形成装置１００、画像形成された用紙に各種後処理（パンチ処理、ステイプル処理、バインド処理など）を施す後処理装置４００、が用紙の流れに沿って直列接続されている。
【００２９】
また、トレイユニット３０Ａ、トレイユニット３０Ｂ、画像形成装置１００、後処理装置４００は、それぞれ通信部３５，１２５，４０５を介して、それぞれの制御部３１，１５０（ＣＰＵ１５１），４０１が通信することで連携した制御を行うように構成されている。
【００３０】
〈画像形成装置の構成〉
図１は、本発明の第１の実施の形態の画像形成装置の主要部を構成する画像形成装置１００の構成を示している。画像形成装置１００は、大きく分けて、プリンタコントローラ１１０と、スキャナ部１２２と、操作表示部１２３と、プリンタ部１２４と、通信部１２５と、給紙部１３０と、主制御部１５０と、を備えて構成される。
【００３１】
プリンタコントローラ１１０は、ＬＡＮ（Local Area Network）などのネットワークを介してパーソナルコンピュータ（ＰＣ）などの情報処理装置と接続されており、情報処理装置から送られてくる印刷ジョブをラスタライズ処理してイメージデータを生成する処理（ＲＩＰ処理）を実行する機能を果たす。なお、イメージデータは画像形成に使用されるビットマップ形式の画像データである。
【００３２】
プリンタコントローラ１１０が情報処理装置から受信する印刷ジョブは、文字や図形をコードデータやベクトルデータで表した印刷データ、たとえば、ＰＤＬ（Page Description Language：ページ記述言語）で記述された印刷データを含むものであり、ラスタライズ処理（ＲＩＰ処理）はコードデータやベクトルデータで構成される印刷データをビットマップ形式のイメージデータに展開する処理である。
【００３３】
プリンタコントローラ１１０は、当該プリンタコントローラ１１０の動作を統括制御するコントローラ制御部としてのＣＰＵ（Central Processing Unit）１１１と、ネットワークに接続するための通信機能を果たすＬＡＮ−ＩＦ部１１２と、ＲＩＰ処理により生成したイメージデータなどを記憶する画像メモリ１１３と、ネットワークから受信した印刷データやＲＩＰ処理の処理過程で生成される中間データなどを蓄積するハードディスク装置（ＨＤＤ）１１４と、画像メモリ１１３へのデータのリード／ライト機能および画像形成部１２０との間で各種データの送受信機能を果たすＤＲＡＭ（Dynamic Random Access Memory）制御部１１５とを有している。
【００３４】
このほか、図示省略してあるが、ＣＰＵ１１１には、当該ＣＰＵ１１１が読み出して実行するプログラムや固定データを記憶したＲＯＭ（Read Only Memory）およびＣＰＵ１１１がプログラムを実行する際に各種データを一時的に格納するためのワークメモリなどが接続されている。
【００３５】
スキャナ部１２２は、原稿をカラーもしくはモノクロで光学的に読み取って対応する画像データを取得する機能を果たすもので、ラインイメージセンサ１２２ａのほか、当該スキャナ部１２２の動作全体を制御するスキャナ制御部１２２ｂを備えている。
【００３６】
操作表示部１２３は、各種設定画面や操作画面などを表示する機能、オペレータに向けて各種案内情報や通知、警告などを表示する機能、オペレータから各種の設定／選択操作や編集操作、出力指示（画像形成の開始指示）を受け付ける機能を果たす。操作表示部１２３は、液晶ディスプレイからなる表示部１２３ａと、その画面上に敷設されたタッチスイッチおよびその他のスイッチから成る操作部１２３ｂと、表示部１２３ａおよび操作部１２３ｂを制御する操作制御部１２３ｃとを有して構成される。
【００３７】
プリンタ部１２４は画像データに応じてオン/オフされる各レーザーダイオード（ＬＤ）１２４ａのほか、プロセスユニットなどの動作を制御するプリンタ制御部１２４ｂを有している。
【００３８】
なお、スキャナ制御部１２２ｂ、操作制御部１２３ｃ、プリンタ制御部１２４ｂはそれぞれＣＰＵ（Central Processing Unit）およびＲＯＭ（Read Only Memory）、ＲＡＭ（Random Access Memory）などを主要部とする回路で構成されており、ＲＯＭに格納されたプログラムに従って各種の制御を実行する。
【００３９】
給紙部１３０は、ＣＰＵ１５１の指示により、画像形成のタイミングに合わせてトレイに収容された用紙を送り出す。
【００４０】
主制御部１５０は、各部の制御部と協調して画像形成装置１００全体の動作を統括制御する機能を果たすもので、ＣＰＵ１５１と、読み取り処理部１５２と、ＤＲＡＭ制御部１５３と、圧縮伸長部１５４と、半導体メモリで構成された画像メモリ１５５と、ハードディスク装置（ＨＤＤ）１５６と、書き込み処理部１５８と、ＲＯＭ１５９ａと、ＲＡＭ１５９ｂと、不揮発メモリ１５９ｃと、を備えて構成される。
【００４１】
ＣＰＵ１５１は、画像形成に関する動作全体を制御する機能を果たす。ＲＯＭ１５９ａには、プログラムや各種固定データなどが記憶されており、ＣＰＵ１５１はＲＯＭ１５９ａに格納されたプログラムに従って動作する。ＲＡＭ１５９ｂは、ＣＰＵ１５１がプログラムを実行する際に各種のデータを一時的に格納するワークメモリとして使用される。不揮発メモリ１５９ｃは、電源オフ後も記憶しておくべきユーザデータやシステムデータ、各種設定値などが記憶されるメモリである。
【００４２】
読み取り処理部１５２は、スキャナ部１２２の出力する画像データに対して拡大処理、鏡像処理、誤差拡散処理などを施す機能を果たす。
【００４３】
ＤＲＡＭ制御部１５３は、ダイナミックＲＡＭからなる画像メモリ１５５へのリード・ライトおよびリフレッシュのタイミング制御や、画像データを圧縮して画像メモリ１５５に格納したり、画像メモリ１５５から圧縮画像データを読み出して伸張したりする際のタイミング制御などを行う。
【００４４】
また、ＤＲＡＭ制御部１５３には、ＰＣＩ（Peripheral Component Interconnect）バスを通じてプリンタコントローラ１１０のＤＲＡＭ制御部１１５と接続され、プリンタコントローラ１１０との間で各種のデータを授受する機能を果たす。
【００４５】
圧縮伸長部１５４は、画像メモリ１５５を記憶領域として使用しつつ、画像データを圧縮して圧縮画像データを生成し、また、圧縮された画像データ（圧縮画像データ）を元のイメージデータに伸張する、圧縮処理機能と伸長処理機能とを果たす。
【００４６】
画像メモリ１５５は、圧縮伸長部１５４により使用され、圧縮して生成された圧縮画像データや伸長された画像データを記憶する機能を果たす。
【００４７】
ハードディスク装置１５６には、プリンタコントローラ１１０から受信した印刷ジョブのデータ（ジョブデータ）などが記憶され保存される。
【００４８】
書き込み処理部１５８は、画像メモリ１５５から読み出して伸張された画像データに応じて、プリンタ部１２４での各色のＬＤ１２４ａをオン/オフさせるための信号を、プリンタ部１２４の動作に応じたタイミングで出力する機能を果たす。
【００４９】
〈給紙部、トレイユニットの構成〉
この実施形態においては、図２，図３に示すように、画像形成装置１００内に３段のトレイを有する給紙部１３０、３段のトレイを有するトレイユニット３０Ａ、３段のトレイを有するトレイユニット３０Ｂが設けられている。
【００５０】
なお、トレイの段数やトレイユニットのユニット数は、あくまでも一例であり、トレイ単位、ユニット単位などで任意に増減することが可能である。
【００５１】
〈用語の定義〉
この実施形態において、画像形成装置で使用される用紙の紙種や斤量，紙色，表裏の倍率差，帯電設定電位といった用紙の種類や印刷条件を示す属性情報を含んだ用紙情報を、ひとまとまりのデータの集合として「プロファイル」と呼んでいる。そして、このプロファイルは、各トレイに対して設定され、不揮発メモリ１５９ｃなどの記憶部に記憶される。
【００５２】
〈画像形成装置の動作、画像形成装置制御方法〉
ここで、本実施形態の画像形成装置における給紙関連の動作、画像形成装置制御方法について、図４以降のフローチャートにより動作を説明する。
【００５３】
なお、ここでは、
・（１）トレイの置換え，
・（２）トレイユニットの追加，
・（３）トレイユニットのトレイ故障時，
・（４）本体に属するトレイの故障時，
の４つの状況について、それぞれ詳細に説明を行う。
【００５４】
（１）トレイの置換え：
給紙部１３０、トレイユニット３０Ａ、トレイユニット３０Ｂなどにおいて、トレイの交換や追加、故障によるトレイの除去や置換が発生した場合、新たなトレイに収納される用紙のプロファイルを設定あるいは変更する必要がある。
【００５５】
従来はこのような新たなトレイについては、手動でプロファイルの各項目を入力していたが、本実施形態では以下のように処理を行う。
【００５６】
給紙部１３０、トレイユニット３０Ａ、トレイユニット３０Ｂなどにおいて、各トレイが所定位置に存在しているか否かを検知するトレイ装着センサ（図示せず）が設けられている。そして、各トレイ装着センサの検知結果は近傍の制御部に伝達され、最終的にはＣＰＵ１５１に集約される。
【００５７】
ここで、いずれかのトレイの交換や追加、故障によるトレイの除去や置換が発生した場合には、トレイ装着センサの検知結果を受けたＣＰＵ１５１が用紙プロファイルコピー設定画面１２３０（図５参照）を操作表示部１２３に表示する（図４中のステップＳ１０１）。
【００５８】
また、操作者が操作表示部１２３の通常画面（図示せず）において、用紙プロファイルコピー設定画面１２３０を要求した場合にも、ＣＰＵ１５１が用紙プロファイルコピー設定画面１２３０（図５参照）を操作表示部１２３に表示する（図４中のステップＳ１０１）。
【００５９】
この図５の用紙プロファイルコピー設定画面１２３０ではタッチパネル形式の操作表示部１２３において、コピー元として各トレイがアイコンで表示されており、コピー先として各トレイがアイコンで表示されており、「実行」釦と「キャンセル」釦とが表示されている。
【００６０】
なお、画像形成装置１００内の給紙部１３０ではトレイ１−３、ユニット３０Ａではトレイ４−６、ユニット３０Ｂではトレイ７−９、のようにトレイ番号が付されているとする。この場合、図２−３の構成に対応して、トレイ１０−１２は未接続であるため、図５の用紙プロファイルコピー設定画面１２３０では非アクティブで選択できない状態として薄く表示されている様子を示す。
【００６１】
ここで、操作者は、プロファイルをコピーするために、コピー元トレイとコピー先トレイとを任意に選択する（図４中のステップＳ１０２）。この場合、トレイの交換、追加、除去、置換などの各種状況に応じて、操作者が適した状態のコピー元トレイとコピー先トレイとを選択する。また、大量のプリントを実行するため、トレイ１と同じ用紙をトレイ２に収納させて、トレイ１とトレイ２を連続して使用するといった使用法にも対応できる。
【００６２】
コピー元トレイとコピー先トレイとを選択（図４中のステップＳ１０２）しても、操作者がキャンセル釦を押下すると（図４中のステップＳ１０３でＮＯ）、それまでの選択が解除されて、新たに選択しなおすことができる（図４中のステップＳ１０２）。
【００６３】
なお、操作者が図５の画面にてコピー元トレイとコピー先トレイを選択しないまま実行釦を押した場合には（図４中のステップＳ１０３でＮＯ）、ＣＰＵ１５１は、操作者に対して再入力を促す画面を操作表示部１２３に表示してもよい。
【００６４】
操作者がコピー元トレイとコピー先トレイとを選択（図４中のステップＳ１０２）すると（図４中のステップＳ１０３でＹＥＳ）、ＣＰＵ１５１は、コピー元になるトレイに設定されていたプロファイルのデータを不揮発メモリ１５９ｃから取得し（図４中のステップＳ１０４）、取得した用紙プロファイルを用紙プロファイルコピー設定画面１２３０において表示する（図４中のステップＳ１０５、図６の用紙プロファイル表示１２３１参照）。そして、操作者が実行釦を押下する（図４中のステップＳ１０６でＹＥＳ）と、ＣＰＵ１５１は、取得した用紙プロファイルをコピー先になるトレイのプロファイルのデータとして不揮発メモリ１５９ｃに書き込む（図４中のステップＳ１０７）。なお、用紙プロファイル表示１２３１を見て操作者がキャンセル釦を押下する（図４中のステップＳ１０６でＮＯ）と、コピー元トレイの選択に戻る（図４中のステップＳ１０２）。
【００６５】
なお、ここで示した例では、用紙プロファイル表示１２３１として、コピー元トレイのトレイ１の隣に、用紙の斤量、紙種、表裏倍率を表示しているが、表示する項目はこれに限定されるものではなく、他の項目を表示しても良い。また、用紙プロファイルの設定日時情報などを表示してもよい。
【００６６】
また、図４のフローチャートでは、コピー元トレイとコピー先トレイが確定してから用紙プロファイル表示１２３１を表示しているが、これに限定されるものではない。たとえば、コピー元トレイが選択された時点で、ＣＰＵ１５１は、コピー元になるトレイに設定されていたプロファイルのデータを不揮発メモリ１５９ｃから取得して用紙プロファイル表示１２３１として表示することも可能である。なお、用紙プロファイル表示１２３１の表示なしで、コピー元トレイとコピー先トレイの選択によって、用紙プロファイルコピーを実行してもよい。
【００６７】
また、一定時間かかっても操作者が図５の画面にてコピー元トレイとコピー先トレイを選択しない場合には、ＣＰＵ１５１は、操作者に対して再入力を促す画面を操作表示部１２３に表示した後に、用紙プロファイルコピー設定画面１２３０を終了して通常画面（図示せず）に復帰してもよい。
【００６８】
以上のようにすることで、トレイの故障による代替、あるいはトレイの除去や追加などが発生しても、操作者が新たなトレイにプロファイルの各項目を設定し直すような手間は不要になり、既存のプロファイルを利用して迅速なプロファイル設定が可能になる。
【００６９】
（２）トレイユニットの追加：
図２−３の構成例では、トレイユニット３０Ａと３０Ｂとが画像形成装置１００に接続されているが、ここに新たなトレイユニット（図示せず）を追加接続することが可能である。
【００７０】
この場合、新たなトレイユニットの各トレイに収納される用紙のプロファイルを設定する必要がある。従来はこのような追加トレイユニット内の各トレイについては、手動でプロファイルの各項目を入力していたが、本実施形態では以下のように処理を行う。
【００７１】
各トレイユニットは画像形成装置１００に対して接続されると各制御部同士が通信することで、トレイユニットの追加接続や取り外しなどの情報がＣＰＵ１５１に集約される。
【００７２】
ここで、トレイユニットの追加接続が発生した場合には、新たなトレイユニットの接続を検知したＣＰＵ１５１が用紙プロファイルコピー単位設定画面１２３２（図８参照）を操作表示部１２３に表示する（図７中のステップＳ２０１）。
【００７３】
また、操作者が操作表示部１２３の通常画面（図示せず）において、トレイユニット追加を要求した場合や、用紙プロファイルコピー単位設定画面を要求した場合にも、ＣＰＵ１５１が用紙プロファイルコピー単位設定画面１２３２（図８参照）を操作表示部１２３に表示する（図７中のステップＳ２０１）。
【００７４】
この図８の用紙プロファイルコピー単位設定画面１２３２ではタッチパネル形式の操作表示部１２３において、トレイ単位、ユニット単位、の２つの選択肢がアイコンで表示されており、「実行」釦と「キャンセル」釦とが表示されている。ここで、操作者は、プロファイルをコピーするために、トレイ単位かユニット単位かを任意に選択する（図７中のステップＳ２０２）。
【００７５】
この場合、トレイユニットの追加接続であっても、トレイユニット単位のプロファイルコピーではなく、各トレイ単位で個々にプロファイルをコピーすることも可能であり、操作者の意図に合わせることができる。
【００７６】
トレイ単位かユニット単位かを選択（図７中のステップＳ２０２）しても、操作者がキャンセル釦を押下すると（図７中のステップＳ２０３でＮＯ、Ｓ２０４でＮＯ）、それまでの選択が解除されて、新たに選択しなおすことができる（図７中のステップＳ２０２）。なお、操作者が図８の用紙プロファイルコピー単位設定画面１２３２にてコピー単位を選択しないまま実行釦を押した場合には（（図７中のステップＳ２０３でＮＯ、Ｓ２０４でＮＯ）、ＣＰＵ１５１は、操作者に対して再入力を促す画面を操作表示部１２３に表示してもよい。
【００７７】
操作者によってユニット単位が選択された場合（図７中のステップＳ２０２、Ｓ２０３でＹＥＳ）、ＣＰＵ１５１が用紙プロファイルコピーユニット設定画面１２３３（図９参照）を操作表示部１２３に表示する（図７中のステップＳ２０５）。
【００７８】
この図９の用紙プロファイルコピーユニット設定画面１２３３ではタッチパネル形式の操作表示部１２３において、トレイユニット追加前の旧構成と、トレイユニット追加後の新構成とが模式的に表示されており、旧構成ではコピー元として選択しうるトレイユニットが選択可能な状態で表示され、新構成ではコピー先となるトレイユニットが強調された状態で表示される。図９では、トレイ１０〜１２を含む３番目のトレイユニットが追加されている。
【００７９】
なお、画像形成装置１００内部の給紙部１３０も、トレイユニット３０とトレイ段数が同じであれば、コピー元のトレイユニットとして扱ってもよい。また、追加されたトレイユニットとトレイ段数が異なるトレイユニットは、ユニット単位のコピー元になり得ないため、図９において、選択不能な非アクティブ状態として表示すればよい。
【００８０】
また、図９のプロファイルコピーユニット設定画面１２３３では、旧構成と新構成のトレイユニットの他に、「実行」釦と「キャンセル」釦とが表示されている。
【００８１】
ここで、操作者は、プロファイルをコピーするために、コピー元にるトレイユニットを任意に選択する（図７中のステップＳ２０６）。
【００８２】
コピー元トレイユニットを選択（図７中のステップＳ２０６）しても、操作者がキャンセル釦を押下すると（図７中のステップＳ２０７でＮＯ）、それまでの選択が解除されて、新たに選択しなおすことができる（図７中のステップＳ２０６）。なお、操作者が図９の画面にてコピー元のトレイユニットを選択しないまま実行釦を押した場合には（図７中のステップＳ２０７でＮＯ）、ＣＰＵ１５１は、操作者に対して再入力を促す画面を操作表示部１２３に表示してもよい。
【００８３】
コピー元になるトレイユニットを選択（図７中のステップＳ２０６）して、操作者が実行釦を押下すると（図７中のステップＳ２０７でＹＥＳ）、ＣＰＵ１５１は、コピー元になるトレイユニットの各トレイに設定されていたプロファイルのデータを不揮発メモリ１５９ｃから取得し（図７中のステップＳ２１１）、コピー先になる追加されたトレイユニットの各トレイのプロファイルのデータとして不揮発メモリ１５９ｃに書き込む（図７中のステップＳ２１２）。
【００８４】
たとえば、図９でユニット１をコピー元として選択した場合、トレイ４のプロファイルがトレイ１０のプロファイルとしてコピーされ、トレイ５のプロファイルがトレイ１１のプロファイルとしてコピーされ、トレイ６のプロファイルがトレイ１２のプロファイルとしてコピーされる。
【００８５】
なお、この場合にも、コピー元のトレイユニットが確定した時点、あるいは、コピー元のトレイユニットが選択された時点で、ＣＰＵ１５１は、コピー元になるトレイに設定されていたプロファイルのデータを不揮発メモリ１５９ｃから取得して、プロファイルコピーユニット設定画面１２３３の中で、図６と同様な用紙プロファイル表示を行うことが可能である。
【００８６】
また、一定時間かかっても操作者が図９の画面にてコピー元トレイユニットを選択しない場合には、ＣＰＵ１５１は、操作者に対して再入力を促す画面を操作表示部１２３に表示した後に、１つ前のコピー単位の選択画面１２３２（図８）に戻るか、あるいは、通常画面（図示せず）に復帰してもよい。
【００８７】
以上のようにすることで、トレイユニットの追加が発生しても、操作者が新たなトレイユニット内の各トレイにプロファイルの各項目を設定し直すような手間は不要になり、既存のトレイユニットのプロファイルを利用して迅速なプロファイル設定が可能になる。
【００８８】
また、図８の用紙プロファイルコピー単位設定画面１２３２で操作者によってトレイ単位が選択された場合（図７中のステップＳ２０２、Ｓ２０３でＮＯ、Ｓ２０４でＹＥＳ）、ＣＰＵ１５１は用紙プロファイルコピー設定画面１２３０（図１０参照）を操作表示部１２３に表示する（図７中のステップＳ２０８）。
【００８９】
なお、図１０の用紙プロファイルコピー設定画面１２３０では、図５のトレイ単位の表示画面とは異なり、コピー元である旧構成のトレイではトレイ１−９がアクティブになっており、コピー先である新構成のトレイでは追加されたトレイユニットに含まれるトレイ１０−１２がアクティブになっている。
【００９０】
ここで、操作者は、追加されたトレイユニットの各トレイにプロファイルをコピーするために、コピー元トレイとコピー先トレイとを選択可能範囲で任意に選択する（図７中のステップＳ２０９）。
【００９１】
コピー元トレイとコピー先トレイとを選択（図７中のステップＳ２０９）しても、操作者がキャンセル釦を押下すると（図７中のステップＳ２１０でＮＯ）、それまでの選択が解除されて、新たに選択しなおすことができる（図７中のステップＳ２０９）。
【００９２】
なお、操作者が図１０の画面にてコピー元トレイとコピー先トレイを選択しないまま実行釦を押した場合には（図７中のステップＳ２１０でＮＯ）、ＣＰＵ１５１は、操作者に対して再入力を促す画面を操作表示部１２３に表示してもよい。
【００９３】
コピー元トレイとコピー先トレイとを選択（図７中のステップＳ２０９）して、操作者が実行釦を押下すると（図７中のステップＳ２１０でＹＥＳ）、ＣＰＵ１５１は、コピー元になるトレイに設定されていたプロファイルのデータを不揮発メモリ１５９ｃから取得し（図７中のステップＳ２１１）、コピー先になる追加されたトレイユニットのトレイ１０−１２のプロファイルのデータとして不揮発メモリ１５９ｃに書き込む（図７中のステップＳ２１２）。
【００９４】
以上のようにすることで、トレイユニットの追加が発生しても、操作者が新たなトレイユニット内の各トレイにプロファイルの各項目を設定し直すような手間は不要になり、既存のトレイのプロファイルを利用して迅速なプロファイル設定が可能になる。
【００９５】
なお、この場合にも、コピー元のトレイが確定した時点、あるいは、コピー元のトレイが選択された時点で、ＣＰＵ１５１は、コピー元になるトレイに設定されていたプロファイルのデータを不揮発メモリ１５９ｃから取得して、図１０の用紙プロファイルコピー設定画面１２３０の中で、図６と同様な用紙プロファイル表示を行うことが可能である。
【００９６】
（３）トレイユニットのトレイ故障時：
ここでは、画像形成装置１００に複数のトレイユニットが接続された状態で、いずれかのトレイユニットに故障や不具合（以下、単に「故障」と呼ぶ）が発生して用紙の搬送が不可能になる場合について説明する。
【００９７】
このようにいずれかのトレイユニットに故障が発生すると、トレイユニット内に配置されているセンサの検知結果が各トレイユニットの制御部を介して最終的にＣＰＵ１５１に集約される。
【００９８】
トレイユニットの故障発生を検知したＣＰＵ１５１は、図１２に示すトレイユニットの搬送異常報知画面１２３４を操作表示部１２３に表示する（図１１中のステップＳ３０１）。この搬送異常報知画面では、故障の内容、エラーコード、メンテナンス連絡先の他に、操作者による「トレイユニットの配置変更」釦と「ＯＫ」釦が含まれている。
【００９９】
操作者が搬送異常報知画面でＯＫ釦を押下した場合（図１１中のステップＳ３０２でＮＯ）、ＣＰＵ１５１は、画像形成装置１００をエラー終了させる。
【０１００】
また、操作者が搬送異常報知画面でトレイユニットの配置変更釦を押下した場合（図１１中のステップＳ３０２でＹＥＳ）、ＣＰＵ１５１は、図１３に示すトレイユニット配置変更画面１２３５を操作表示部１２３に表示する（図１１中のステップＳ３０３）。
【０１０１】
図１３に示すトレイユニット配置変更画面１２３５では、ユニット１に故障が発生した場合を想定し、故障したトレイユニットを含む旧構成と、故障したトレイユニットを除いて追加トレイユニット無しの新構成（１）と、故障したトレイユニットを除いて追加トレイユニット（図１３で「ユニットＮＥＷ」）有りの新構成（２）と、を選択肢として表示している。
【０１０２】
操作者が図１３のトレイユニット配置変更画面１２３５で追加無しの新構成（１）を選択した場合（図１１中のステップＳ３０４でＮＯ）、あるいは、操作者が故障したトレイユニットを除去して正常なトレイユニットのみを接続した場合、ＣＰＵ１５１は、プロファイルコピーは必要ないため、この時点の処理を終了する。なお、既に説明したように、各トレイユニットは画像形成装置１００に対して接続されると各制御部同士が通信するため、操作画面を操作しなくても、トレイユニットの除去の情報はＣＰＵ１５１に通知される。
【０１０３】
操作者が図１３のトレイユニット配置変更画面１２３５で追加有りの新構成（２）を選択した場合（図１１中のステップＳ３０４でＹＥＳ）、あるいは、操作者が故障したトレイユニットを除去して新たなトレイユニットを追加して接続した場合、ＣＰＵ１５１は、図１４に示す用紙プロファイルコピー実施選択画面１２３６を操作表示部１２３に表示する（図１１中のステップＳ３０５）。なお、既に説明したように、各トレイユニットは画像形成装置１００に対して接続されると各制御部同士が通信するため、操作画面を操作しなくても、故障トレイユニット除去と新トレイユニット追加の情報はＣＰＵ１５１に通知される。
【０１０４】
この用紙プロファイルコピー実施選択画面では、新たなトレイユニット（図１３中の「ユニットＮＥＷ」）に対してプロファイルのコピーを実行するか否かの選択肢が表示されている。
【０１０５】
この場合、新たなトレイユニットの各トレイに収納される用紙のプロファイルを設定する必要がある。
【０１０６】
ここで、用紙プロファイルコピー実施選択画面で「コピーしない」釦が操作者により選択されれば（図１１中のステップＳ３０でＮＯ）、ＣＰＵ１５１はプロファイルコピーの処理を終了し、追加トレイユニット内の各トレイについて手動でプロファイルの各項目を入力することが可能になる。
【０１０７】
一方、用紙プロファイルコピー実施選択画面で「コピーする」釦が操作者により選択されれば（図１１中のステップＳ３０でＹＥＳ）、ＣＰＵ１５１は、「（２）トレイユニットの追加」の欄で図７−９を用いて説明したように、トレイユニット毎あるいは各トレイ毎にプロファイルコピーを実行する（図１１中のステップＳ３０７）。なお、この処理については重複した内容となるので説明を省略する。
【０１０８】
以上のようにすることで、トレイユニットに故障が発生した場合に新たなトレイユニットが追加されても、操作者が新たなトレイユニット内の各トレイにプロファイルの各項目を設定し直すような手間は不要になり、既存のトレイユニットのプロファイルや既存のトレイ毎のプロファイルを利用して、迅速なプロファイル設定が可能になる。
【０１０９】
（４）画像形成装置本体のトレイ故障時：
ここでは、画像形成装置１００内部に給紙部１３０が存在していて、いずれかのトレイに故障や不具合（以下、単に「故障」と呼ぶ）が発生して、給紙部１３０として用紙の搬送が不可能になる場合について説明する。
【０１１０】
このように画像形成装置１００内の給紙部１３０でいずれかのトレイに故障が発生すると、各トレイに配置されているセンサの検知結果がＣＰＵ１５１に集約される。
【０１１１】
トレイの故障発生を検知したＣＰＵ１５１は、図１６に示す本体トレイ搬送異常報知画面１２３７を操作表示部１２３に表示する（図１５中のステップＳ４０１）。
【０１１２】
この搬送異常報知画面では、故障の内容、エラーコード、メンテナンス連絡先の他に、操作者による「用紙プロファイルコピー」釦と「ＯＫ」釦が含まれている。
【０１１３】
一方、操作者が搬送異常報知画面でＯＫ釦を押下した場合（図１５中のステップＳ４０２でＮＯ）、ＣＰＵ１５１は、画像形成装置１００をエラー終了させる。
【０１１４】
また、操作者が故障したトレイを正常なものに置換すると共に、搬送異常報知画面で用紙プロファイルコピー釦を押下した場合（図１５中のステップＳ４０２でＹＥＳ）、ＣＰＵ１５１は用紙プロファイルコピー設定画面１２３０（図１７参照）を操作表示部１２３に表示して、「（１）トレイの置換え」の欄で図４−５を用いて説明したように、各トレイ毎にプロファイルコピーを実行する（図１５中のステップＳ４０３）。なお、この処理については重複した内容となるので説明を省略する。
【０１１５】
なお、図１７の表示画面では、図５のトレイ単位の表示画面とは異なり、コピー元では接続されているか存在していたトレイ全てがアクティブになっており、コピー先では画像形成装置１００本体内のトレイ１−３（あるいは、トレイ１−３のうちの故障したトレイ）がアクティブになる。
【０１１６】
以上のようにすることで、画像形成装置１００本体内のトレイに故障が発生した場合に新たなトレイが装着されても、操作者が新たなトレイにプロファイルの各項目を設定し直すような手間は不要になり、既存のトレイのプロファイルを利用して、迅速なプロファイル設定が可能になる。
【０１１７】
なお、この場合にも、コピー元のトレイが確定した時点、あるいは、コピー元のトレイが選択された時点で、ＣＰＵ１５１は、コピー元になるトレイに設定されていたプロファイルのデータを不揮発メモリ１５９ｃから取得して、図１７の用紙プロファイルコピー設定画面１２３０の中で、図６と同様な用紙プロファイル表示を行うことが可能である。
【０１１８】
（５）その他の実施形態：
以上、本発明の実施の形態を図面によって説明してきたが、具体的な構成は実施の形態に示したものに限られるものではなく、本発明の要旨を逸脱しない範囲における変更や追加があっても本発明に含まれる。
【０１１９】
なお、以上のプロファイルコピー動作において、コピー元のトレイやトレイユニットを選択した時点で、コピー元のプロファイルの内容をポップアップ画面などで表示するようにしてもよい。このようにすることで、操作者が間違ったプロファイルをコピーする可能性が小さくなる。
【符号の説明】
【０１２０】
３０Ａ，３０Ｂ  トレイユニット
１１０  プリンタコントローラ
１１１  ＣＰＵ
１１２  ＬＡＮ−ＩＦ部
１１３  画像メモリ
１１４  ハードディスク装置（ＨＤＤ）
１１５  ＤＲＡＭ制御部
１２２  スキャナ部
１２３  操作表示部
１２４  プリンタ部
１３０  給紙部
１５０  主制御部
１５１  ＣＰＵ
１５２  読み取り処理部
１５３  ＤＲＡＭ制御部
１５４  圧縮伸長部
１５５  画像メモリ
１５６  ハードディスク装置（ＨＤＤ）
１５８  書き込み処理部
１５９ａ  ＲＯＭ
１５９ｂ  ＲＡＭ
１５９ｃ  不揮発メモリ
【図２】
2013104943.tif 000003
【図３】
2013104943.tif 000004
【図４】
2013104943.tif 000005
【図７】
2013104943.tif 000006
【図１１】
2013104943.tif 000007
【図１５】
2013104943.tif 000008
【図１】
2013104943.tif 000009
【図５】
2013104943.tif 000010
【図６】
2013104943.tif 000011
【図８】
2013104943.tif 000012
【図９】
2013104943.tif 000013
【図１０】
2013104943.tif 000014
【図１２】
2013104943.tif 000015
【図１３】
2013104943.tif 000016
【図１４】
2013104943.tif 000017
【図１６】
2013104943.tif 000018
【図１７】
2013104943.tif 000019